(57)【要約】モバイル連動インプラント診断システムが開示される。本発明によるモバイル連動インプラント診断システムは、被施術者の口腔領域に対する統合立体映像データを獲得し、統合立体映像データを基盤として、統合立体映像データに仮想のインプラントデータが重畳されたインプラント施術計画データを生成するインプラント診断装置；インプラント診断装置に有線または無線で連結され、インプラント診断装置から生成されたインプラント施術計画データのうち、一部である関心情報を伝達されて保存するサーバ装置；サーバ装置に有線または無線で連結され、サーバ装置から関心情報を伝達されて表示するモバイル装置；を含み、関心情報は、インプラント施術データのうち、仮想のインプラント周りの既定の領域のデータである部分立体映像データを含む。
2019531173.tif 000002
【特許請求の範囲】
【請求項１】
被施術者の口腔領域に対する統合立体映像データを獲得し、前記統合立体映像データを基盤として、前記統合立体映像データに仮想のインプラントデータが重畳されたインプラント施術計画データを生成するインプラント診断装置と、
前記インプラント診断装置に有線または無線で連結され、前記インプラント診断装置から生成された前記インプラント施術計画データのうち、一部である関心情報を伝達されて保存するサーバ装置と、
前記サーバ装置に有線または無線で連結され、前記サーバ装置から前記関心情報を伝達されて表示するモバイル装置と、を含み、
前記関心情報は、
前記インプラント施術データのうち、前記仮想のインプラント周りの既定の領域のデータである部分立体映像データを含むモバイル連動インプラント診断システム。
【請求項２】
前記部分立体映像データは、
前記仮想のインプラントの中心から既定の間隔ほど離隔した境界領域内部の前記インプラント施術計画データを含む請求項１に記載のモバイル連動インプラント診断システム。
【請求項３】
前記境界領域は、六面体状に設けられることを特徴とする請求項２に記載のモバイル連動インプラント診断システム。
【請求項４】
前記六面体状に設けられた境界領域は、
第１軸方向の長さが１５〜４５ｍｍであり、
第２軸方向の長さが１５〜４５ｍｍであり、
第３軸方向の長さが２０〜６０ｍｍであることを特徴とする請求項３に記載のモバイル連動インプラント診断システム。
【請求項５】
前記モバイル装置は、スマートフォン、ハンドヘルド端末機を含む請求項１に記載のモバイル連動インプラント診断システム。
【請求項６】
前記モバイル装置は、
前記部分立体映像データをディスプレイするモバイル装置用表示ユニットと、
ユーザから情報を入力されるモバイル装置用入力ユニットと、
前記入力部に電気的に連結されて、前記ユーザから入力された情報に基づいて、前記部分立体映像データを補正するモバイル装置用演算ユニットと、
を含む請求項１に記載のモバイル連動インプラント診断システム。
【請求項７】
前記モバイル装置用表示ユニットは、前記ユーザに提供される画面を多数個の分割領域に区画し、
前記分割領域は、
前記部分立体映像データを第１軸と前記第１軸に交差する第２軸に切った平面イメージが表示された第１領域と、
前記部分立体映像データを前記第２軸と前記第２軸に交差する第３軸に切った平面イメージが表示された第２領域と、
前記部分立体映像データを前記第１軸と前記第３軸に切った平面イメージが表示された第３領域と、
を含む請求項６に記載のモバイル連動インプラント診断システム。
【請求項８】
前記モバイル装置用表示ユニットは、
前記第１領域ないし第３領域で骨密度を視覚的に表示することを特徴とする請求項７に記載のモバイル連動インプラント診断システム。
【請求項９】
前記モバイル装置用表示ユニットは、
前記第１領域ないし第３領域で既定の領域内部の骨密度を視覚的に表示することを特徴とする請求項７に記載のモバイル連動インプラント診断システム。
【請求項１０】
前記骨密度は、
前記骨密度の数値によって互いに異なる色相で表示されることを特徴とする請求項８または９に記載のモバイル連動インプラント診断システム。
【請求項１１】
前記色相は、有彩色であることを特徴とする請求項１０に記載のモバイル連動インプラント診断システム。
【請求項１２】
前記分割領域は、
前記被施術者の歯牙石膏型をスキャンして獲得された第２立体映像データに、前記仮想のインプラントが重畳された立体映像データが表示された第４領域をさらに含む請求項７に記載のモバイル連動インプラント診断システム。
【請求項１３】
前記インプラント診断装置は、
前記被施術者の口腔領域に対する第１立体映像データを獲得する第１映像情報獲得装置と、
前記被施術者の歯牙石膏型をスキャンして第２立体映像データを獲得する第２映像情報獲得装置と、
前記第１立体映像データ及び前記第２立体映像データを伝達されて整合して、前記統合立体映像データを生成し、前記統合立体映像データを基盤として、前記施術計画データを生成するデータ処理装置と、
を含む請求項１に記載のモバイル連動インプラント診断システム。
【請求項１４】
前記歯牙石膏型には、前記第１立体映像データと前記第２立体映像データとの整合のための整合用基準マーカーが設けられることを特徴とする請求項１３に記載のモバイル連動インプラント診断システム。
【請求項１５】
前記整合用基準マーカーは、多数個設けられ、互いに離隔して配されることを特徴とする請求項１４に記載のモバイル連動インプラント診断システム。
【請求項１６】
前記データ処理装置は、
ユーザから情報を入力される入力部と、
前記統合立体映像データを生成し、前記入力部に電気的に連結されて、前記ユーザから入力された情報に基づいて、前記統合立体映像データを補正する演算部と、
前記演算部に電気的に連結され、前記統合立体映像データと前記仮想のフィクスチャー周りの骨密度を視覚的に表示する表示部と、
を含む請求項１３に記載のモバイル連動インプラント診断システム。
【請求項１７】
前記データ処理装置は、
前記第２立体映像データの整合用基準マーカーの座標を基準にして、前記第１立体映像データと前記第２立体映像データとを先整合する先整合段階後、前記先整合された統合立体映像データで前記第２立体映像データを前記第１立体映像データに精密整合する精密整合段階を経て、前記統合立体映像データを生成することを特徴とする請求項１６に記載のモバイル連動インプラント診断システム。
【請求項１８】
前記先整合段階で前記演算部は、
前記表示部の表示領域を前記第１立体映像データのうち、前記被施術者の歯牙領域が視覚的に表示される歯牙領域表示区域と、前記第２立体映像データが視覚的に表示される第２立体映像データ表示区域と、前記統合立体映像データが視覚的に表示される統合立体映像データ表示区域と、に区画し、
前記入力部を通じて前記第２立体映像データ表示区域で前記整合用基準マーカーの座標を入力され、
前記入力部を通じて前記歯牙領域表示区域で前記整合用基準マーカーの座標に該当する仮想の座標を入力され、
入力された前記整合用基準マーカーの座標と前記仮想の座標とを整合して、前記統合立体映像データ表示区域に前記先整合された統合立体映像データを表示する請求項１７に記載のモバイル連動インプラント診断システム。
【請求項１９】
前記精密整合段階で前記演算部は、
前記表示部の表示領域を多数個の分割領域に区画し、
前記先整合された統合立体映像データの互いに異なる平面映像を前記多数個の分割領域に配置し、
前記入力部を通じて前記それぞれの分割領域で第１立体映像データに第２立体映像データが整合された状態を入力されることを特徴とする請求項１７に記載のモバイル連動インプラント診断システム。
【請求項２０】
前記多数個の分割領域は、
前記先整合された統合立体映像データを第１軸と前記第１軸に交差する第２軸に切った平面イメージが示された第１領域と、
前記第１領域に表示される第１移動点の位置で前記第２軸と前記第２軸に交差する第３軸に切った平面イメージが示された第２領域と、
前記第１領域に表示される第１移動点の位置で前記第１軸と前記第３軸に切った平面イメージが示された第３領域と、
前記第１領域に表示される第２移動点の位置で前記第２軸と第３軸に切った平面イメージが示された第４領域と、
前記第１領域に表示される第２移動点の位置で前記第１軸と第３軸に切った平面イメージが示された第５領域と、
前記第１領域に表示される第３移動点の位置で前記第２軸と第３軸に切った平面イメージが示された第６領域と、
を含む請求項１９に記載のモバイル連動インプラント診断システム。
【請求項２１】
前記第１ないし第３移動点は、
前記ユーザの操作によって移動可能であり、
前記第２領域及び前記第３領域のイメージは、前記第１移動点の移動に連動して可変され、
前記第４領域及び前記第５領域のイメージは、前記第２移動点の移動に連動して可変され、
前記第６領域のイメージは、前記第３移動点の移動に連動して可変されることを特徴とする請求項２０に記載のモバイル連動インプラント診断システム。
【請求項２２】
前記データ処理装置は、
前記統合立体映像データに前記被施術者に植立される仮想のフィクスチャーが重畳されれば、前記仮想のフィクスチャーを基準にして、前記仮想のフィクスチャー周りの骨密度を視覚的に表示することを特徴とする請求項１３に記載のモバイル連動インプラント診断システム。
【請求項２３】
前記データ処理装置は、前記仮想のフィクスチャーの外郭コンツアーに接する領域の骨密度を視覚的に表示することを特徴とする請求項２２に記載のモバイル連動インプラント診断システム。
【請求項２４】
前記仮想のフィクスチャー周りの骨密度は、
前記骨密度の数値によって互いに異なる色相で表示されることを特徴とする請求項２２に記載のモバイル連動インプラント診断システム。
【発明の詳細な説明】
【技術分野】
【０００１】
本発明は、モバイル連動インプラント診断システムに係り、より詳細には、施術者がインプラント施術計画についての情報をデスクトップＰＣ（ｄｅｓｋｔｏｐ  ＰＣ）のような固定された位置で検討できるだけではなく、モバイル装備でも簡便に検討できるモバイル連動インプラント診断システムに関する。
【背景技術】
【０００２】
歯科用インプラントは、元々人体組織が喪失された時、回復させる代替物を意味するが、歯科では、人工歯牙を移植する一連の施術を示す。
【０００３】
喪失された歯根の代わりに、人体に拒絶反応のないチタン（ｔｉｔａｎｉｕｍ）などで作った歯根であるフィクスチャー（ｆｉｘｔｕｒｅ）を抜歯された歯槽骨に植えた後、人工歯牙を固定させて、歯牙の機能を回復させる施術である。
【０００４】
一般補綴物や総入れ歯の場合、経時的に周りの歯牙と骨とが傷むが、インプラントは周辺歯牙組織を傷まないようにし、自然歯牙と機能や形状が同じながらも虫歯が生じないので、半永久的に使用できるという長所がある。
【０００５】
人工歯牙施術（インプラントまたはインプラント施術とも言う）は、フィクスチャーの種類によって多様であるが、所定のドリルを使用して植立位置を穿孔した後、フィクスチャーを歯槽骨に植立して骨に骨融合させた後、フィクスチャーに支台柱（ａｂｕｔｍｅｎｔ）を結合させた後に、支台柱に最終補綴物を被せることにより、完了することが一般的である。
【０００６】
歯科用インプラントは、単一欠損歯の修復はもとより部分無歯牙及び完全無歯牙患者に義歯の機能を増進させ、歯牙補綴修復の審美的な面を改善させ、さらに周りの支持骨組織に加えられる過度な応力を分散させると同時に、歯列の安定化に役に立つ。
【０００７】
このような歯科用インプラントは、一般的に、人工歯根として植立されるフィクスチャーと、フィクスチャー上に結合される支台柱と、支台柱をフィクスチャーに固定する支台柱スクリュー（Ａｂｕｔｍｅｎｔ  Ｓｃｒｅｗ）と、支台柱に結合される人工歯牙と、を含む。ここで、支台柱をフィクスチャーに結合させる前に、すなわち、歯槽骨にフィクスチャーが骨融合されるまでの期間の間に支台柱がフィクスチャーに結合されて結合状態を保持する。
【０００８】
歯科用インプラントの一構成要素であるフィクスチャーは、インプラントが施術される位置にドリルなどを用いて歯槽骨に形成されたドリルホールに植立される部分であって、人工歯根の役割を担当する。したがって、フィクスチャーは、歯槽骨に堅固に植立されなければならない。
【０００９】
このようなインプラントの植立は、患者ごとに多くの差があるが、これは、患者の歯牙の状態、インプラント施術が必要な歯牙の位置、患者の歯槽骨の状態など多様な要因によってインプラントの植立位置などが決定されるためである。
【００１０】
特に、歯槽骨の骨密度は、インプラント植立時に非常に重要な要素であり、患者の骨密度の状態によってインプラントの植立位置及び深さと方向とを決定するが、これは、患者の特性を考慮して愼重に決定しなければならない。
【００１１】
一方、前述したように、インプラントの植立は、患者ごとに多くの差があるので、従来、このような差を医師が正確に認知できるように助けて、模擬施術及び施術計画を樹立可能にするインプラント診断システムが開発された。
【００１２】
従来技術によるインプラント診断システムは、患者の口腔領域に対する骨及び歯牙の位置、骨密度などが含まれた立体映像データに仮想のインプラントを重畳させて、最適のインプラント植立位置及び角度を確認可能にする。
【００１３】
このようなインプラント診断システムは、３次元立体映像データを処理しなければならないので、高性能のコンピュータが要求されるが、高性能のコンピュータには、主にデスクトップＰＣが使われる。
【００１４】
したがって、高性能のデスクトップＰＣでインプラント植立の最適位置及び最適角度などが表示されたインプラント施術計画データが生成され、該生成されたインプラント施術計画データも、高性能のデスクトップＰＣで検討される。
【００１５】
ところで、診療時間に追われている歯科医師が、インプラント施術計画データを検討するために、デスクトップＰＣが配された診断センターを尋ねることは時間的に問題が多い。
【００１６】
特に、簡単な事項のみを検討するために、歯科医師が診断センターを尋ねることは時間浪費が多いので、交通手段内で、または合間の休み時間にスマートフォンを通じて簡単にインプラント施術計画データを検討することができるモバイル連動インプラント診断システムに対する要求が高まっている。
【００１７】
このような要求に復興するために、従来、スマートフォンを通じて簡単にインプラント施術計画データを検討することができるモバイル連動インプラント診断システムが提示されたが、従来技術によるモバイル連動インプラント診断システムで、モバイル機器に提供される情報は、ＣＴデータのような３次元立体映像データではなく、単に施術計画のイメージ（２Ｄ絵ファイル）ファイルである。
【００１８】
すなわち、性能に限界があるモバイル機器が大容量データである３次元立体映像データをハンドリングしにくく、それによって、３Ｄファイルで２Ｄファイル、例えば、ＪＰＧファイルを生成してモバイル機器に提供する方式を取ることにより、インプラント施術計画データの単純な２Ｄイメージファイルのみがモバイル機器に提供された。
【００１９】
ところで、このような従来のモバイル連動インプラント診断システムでモバイル機器に提供されるインプラント施術計画データの２Ｄイメージは、単純なイメージであるだけなので、歯科医師がモバイル機器でインプラント施術計画を少しでも補正（例えば、フィクスチャーを、他のフィクスチャーに変える補正、インプラントの植立角度を微細に変えるなどの補正）することができず、それにより、従来のモバイル連動インプラント診断システム下では、歯科医師がモバイル機器を通じて意味のある施術計画検討を行うことはできないという問題点がある。
【発明の概要】
【発明が解決しようとする課題】
【００２０】
本発明が解決しようとする課題は、施術者がモバイル機器でインプラント施術計画を補正することができるモバイル連動インプラント診断システムを提供するところにある。
【課題を解決するための手段】
【００２１】
本発明の一側面によれば、被施術者の口腔領域に対する統合立体映像データを獲得し、前記統合立体映像データを基盤として、前記統合立体映像データに仮想のインプラントデータが重畳されたインプラント施術計画データを生成するインプラント診断装置；前記インプラント診断装置に有線または無線で連結され、前記インプラント診断装置から生成された前記インプラント施術計画データのうち、一部である関心情報を伝達されて保存するサーバ装置；及び前記サーバ装置に有線または無線で連結され、前記サーバ装置から前記関心情報を伝達されて表示するモバイル装置；を含み、前記関心情報は、前記インプラント施術データのうち、前記仮想のインプラント周りの既定の領域のデータである部分立体映像データを含むモバイル連動インプラント診断システムが提供されうる。
【００２２】
前記部分立体映像データは、前記仮想のインプラントの中心から既定の間隔ほど離隔した境界領域内部の前記インプラント施術計画データを含みうる。
前記境界領域は、六面体状に設けられうる。
前記六面体状に設けられた境界領域は、第１軸方向の長さが１５〜４５ｍｍであり、第２軸方向の長さが１５〜４５ｍｍであり、第３軸方向の長さが２０〜６０ｍｍであり得る。
前記モバイル装置は、スマートフォン、ハンドヘルド端末機（ｈａｎｄ  ｈｅｌｄ  ｔｅｒｍｉｎａｌ）を含みうる。
【００２３】
前記モバイル装置は、前記部分立体映像データをディスプレイするモバイル装置用表示ユニット；ユーザから情報を入力されるモバイル装置用入力ユニット；及び前記入力部に電気的に連結されて、前記ユーザから入力された情報に基づいて、前記部分立体映像データを補正するモバイル装置用演算ユニット；を含みうる。
【００２４】
前記モバイル装置用表示ユニットは、前記ユーザに提供される画面を多数個の分割領域に区画し、前記分割領域は、前記部分立体映像データを第１軸と前記第１軸に交差する第２軸に切った平面イメージが表示された第１領域；前記部分立体映像データを前記第２軸と前記第２軸に交差する第３軸に切った平面イメージが表示された第２領域；及び前記部分立体映像データを前記第１軸と前記第３軸に切った平面イメージが表示された第３領域；を含みうる。
【００２５】
前記モバイル装置用表示ユニットは、前記第１領域ないし第３領域で骨密度を視覚的に表示される。
前記モバイル装置用表示ユニットは、前記第１領域ないし第３領域で既定の領域内部の骨密度を視覚的に表示される。
前記骨密度は、前記骨密度の数値によって互いに異なる色相で表示される。
前記色相は、有彩色であり得る。
【００２６】
前記分割領域は、前記被施術者の歯牙石膏型（Ｐｌａｓｔｅｒ  Ｐａｔｔｅｒｎｓ  ｏｆ  Ｔｅｅｔｈ）をスキャンして獲得された第２立体映像データに、前記仮想のインプラントが重畳された立体映像データが表示された第４領域をさらに含みうる。
【００２７】
前記インプラント診断装置は、前記被施術者の口腔領域に対する第１立体映像データを獲得する第１映像情報獲得装置；前記被施術者の歯牙石膏型をスキャンして第２立体映像データを獲得する第２映像情報獲得装置；及び前記第１立体映像データ及び前記第２立体映像データを伝達されて整合（ｍａｔｃｈｉｎｇ）して、前記統合立体映像データを生成し、前記統合立体映像データを基盤として、前記施術計画データを生成するデータ処理装置；を含みうる。
【００２８】
前記歯牙石膏型には、前記第１立体映像データと前記第２立体映像データとの整合のための整合用基準マーカー（ｍａｒｋｅｒ）が設けられうる。
前記整合用基準マーカーは、多数個設けられ、互いに離隔して配置される。
【００２９】
前記データ処理装置は、ユーザから情報を入力される入力部；前記統合立体映像データを生成し、前記入力部に電気的に連結されて、前記ユーザから入力された情報に基づいて、前記統合立体映像データを補正する演算部；及び前記演算部に電気的に連結され、前記統合立体映像データと前記仮想のフィクスチャー周りの骨密度を視覚的に表示する表示部；を含みうる。
【００３０】
前記データ処理装置は、前記第２立体映像データの整合用基準マーカーの座標を基準にして、前記第１立体映像データと前記第２立体映像データとを先整合（ｐｒｅ−ｍａｔｃｈｉｎｇ）する先整合段階後、前記先整合された統合立体映像データで前記第２立体映像データを前記第１立体映像データに精密整合する精密整合段階を経て、前記統合立体映像データを生成することができる。
【００３１】
前記先整合段階で前記演算部は、前記表示部の表示領域を前記第１立体映像データのうち、前記被施術者の歯牙領域が視覚的に表示される歯牙領域表示区域と、前記第２立体映像データが視覚的に表示される第２立体映像データ表示区域と、前記統合立体映像データが視覚的に表示される統合立体映像データ表示区域と、に区画し、前記入力部を通じて前記第２立体映像データ表示区域で前記整合用基準マーカーの座標を入力され、前記入力部を通じて前記歯牙領域表示区域で前記整合用基準マーカーの座標に該当する仮想の座標を入力され、該入力された前記整合用基準マーカーの座標と前記仮想の座標とを整合して、前記統合立体映像データ表示区域に前記先整合された統合立体映像データを表示することができる。
【００３２】
前記精密整合段階で前記演算部は、前記表示部の表示領域を多数個の分割領域に区画し、前記先整合された統合立体映像データの互いに異なる平面映像を前記多数個の分割領域に配置し、前記入力部を通じて前記それぞれの分割領域で第１立体映像データに第２立体映像データが整合された状態を入力されうる。
【００３３】
前記多数個の分割領域は、前記先整合された統合立体映像データを第１軸と前記第１軸に交差する第２軸に切った平面イメージが示された第１領域；前記第１領域に表示される第１移動点の位置で前記第２軸と前記第２軸に交差する第３軸に切った平面イメージが示された第２領域；前記第１移動点の位置で前記第１軸と前記第３軸に切った平面イメージが示された第３領域；前記第１領域に表示される第２移動点の位置で前記第２軸と第３軸に切った平面イメージが示された第４領域；前記第１領域に表示される第２移動点の位置で前記第１軸と第３軸に切った平面イメージが示された第５領域；及び前記第１領域に表示される第３移動点の位置で前記第２軸と第３軸に切った平面イメージが示された第６領域；を含みうる。
【００３４】
前記第１ないし第３移動点は、前記ユーザの操作によって移動可能であり、前記第２領域及び前記第３領域のイメージは、前記第１移動点の移動に連動して可変され、前記第４領域及び前記第５領域のイメージは、前記第２移動点の移動に連動して可変され、前記第６領域のイメージは、前記第３移動点の移動に連動して可変されうる。
【００３５】
前記データ処理装置は、前記統合立体映像データに前記被施術者に植立される仮想のフィクスチャーが重畳されれば、前記仮想のフィクスチャーを基準にして、前記仮想のフィクスチャー周りの骨密度を視覚的に表示することができる。
【００３６】
前記データ処理装置は、前記仮想のフィクスチャーの外郭コンツアー（ｃｏｎｔｏｕｒ）に接する領域の骨密度を視覚的に表示することができる。
【００３７】
前記仮想のフィクスチャー周りの骨密度は、前記骨密度の数値によって互いに異なる色相で表示される。
【発明の効果】
【００３８】
本発明の実施形態は、モバイル装置にインプラント施術計画データのうち、一部である関心情報のみを提供し、このような関心情報は、インプラント施術データのうち、仮想のインプラント周りの立体映像データである部分立体映像データを含むことにより、施術者がモバイル装置の仕様内でモバイル装置を通じて施術者の主要関心である仮想のインプラント周りの部分立体映像データを補正（例えば、フィクスチャーを、他のフィクスチャーに変える補正、インプラントの植立角度を微細に変えるなどの補正など）可能にするという利点がある。
【図面の簡単な説明】
【００３９】
【図１】本発明の第１実施形態によるモバイル連動インプラント診断システムが示された図面である。
【図２】図１の歯牙石膏型が示された図面である。
【図３】図１の表示部に仮想のフィクスチャー周りの骨密度が視覚的に表示された図面である。
【図４】図１の表示部に仮想のフィクスチャー周りの骨密度が視覚的に表示された図面である。
【図５】図１のインプラント診断装置でインプラント診断用映像生成方法が示された図面である。
【図６】図５の統合立体映像データ獲得段階のうち、先整合段階で表示部の画面が示された図面である。
【図７】図５の統合立体映像データ獲得段階のうち、先整合段階で表示部の画面が示された図面である。
【図８】図５の統合立体映像データ獲得段階のうち、精密整合段階で表示部の画面が示された図面である。
【図９】図５の統合立体映像データ獲得段階のうち、精密整合段階で表示部の画面が示された図面である。
【図１０】図１のサーバ装置に伝達される部分立体映像データの境界領域が示された図面である。
【図１１】図１のモバイル装置にディスプレイされる画面が示された図面である。
【図１２】図１のモバイル装置にディスプレイされる画面が示された図面である。
【図１３】本発明の第２実施形態によるモバイル連動インプラント診断システムでモバイル装置にディスプレイされる画面が示された図面である。
【発明を実施するための形態】
【００４０】
本発明と本発明の動作上の利点及び本発明の実施によって達成される目的を十分に理解するためには、本発明の望ましい実施形態を例示する添付図面及び添付図面に記載の内容を参照しなければならない。
【００４１】
以下、添付図面を参照して、本発明の望ましい実施形態を説明することにより、本発明を詳しく説明する。但し、本発明を説明するに当って、既に公知の機能あるいは構成についての説明は、本発明の要旨を明瞭にするために省略する。
【００４２】
以下、第１軸は、Ｘ軸を、第２軸は、Ｙ軸を、第３軸は、Ｚ軸を意味する。
図１は、本発明の第１実施形態によるモバイル連動インプラント診断システムが示された図面であり、図２は、図１の歯牙石膏型が示された図面であり、図３及び図４は、図１の表示部に仮想のフィクスチャー周りの骨密度が視覚的に表示された図面であり、図５は、図１のインプラント診断装置でインプラント診断用映像生成方法が示された図面であり、図６及び図７は、図５の統合立体映像データ獲得段階のうち、先整合段階で表示部の画面が示された図面であり、図８及び図９は、図５の統合立体映像データ獲得段階のうち、精密整合段階で表示部の画面が示された図面であり、図１０は、図１のサーバ装置に伝達される部分立体映像データの境界領域が示された図面であり、図１１及び図１２は、図１のモバイル装置にディスプレイされる画面が示された図面である。
【００４３】
本実施形態によるモバイル連動インプラント診断システムは、図１に示したように、被施術者の口腔領域に対する統合立体映像データを獲得し、統合立体映像データを基盤として、統合立体映像データに仮想のインプラント（Ｋ）データが重畳されたインプラント施術計画データを生成するインプラント診断装置１００と、インプラント診断装置１００に有線または無線で連結され、インプラント診断装置１００から生成されたインプラント施術計画データのうち、一部である関心情報を伝達されて保存するサーバ装置２００と、サーバ装置２００に有線または無線で連結され、サーバ装置２００から関心情報を伝達されて表示するモバイル装置３００と、を含む。
【００４４】
インプラント診断装置１００は、被施術者の口腔領域に対する統合立体映像データを獲得し、統合立体映像データを基盤として、統合立体映像データに仮想のインプラント（Ｋ）が重畳されたインプラント施術計画データを生成する。
【００４５】
本実施形態のインプラント診断装置１００は、被施術者の口腔領域に対する第１立体映像データを獲得する第１映像情報獲得装置１１０と、被施術者の歯牙石膏型（Ｇ）をスキャンして第２立体映像データを獲得する第２映像情報獲得装置１２０と、第１立体映像データ及び第２立体映像データを伝達されて整合して、統合立体映像データを生成するデータ処理装置１３０と、を含む。
【００４６】
第１映像情報獲得装置１１０は、被施術者の口腔領域に対する第１立体映像データを獲得する。本実施形態の第１映像情報獲得装置１１０は、コンピュータ断層撮影（Ｃｏｍｐｕｔｅｄ  Ｔｏｍｏｇｒａｐｈｙ、ＣＴ）を含み、本実施形態の第１立体映像データは、複数の断面映像を用いて具現された立体映像を意味するが、これにより、本発明の権利範囲が限定されず、磁気共鳴映像（ｍａｇｎｅｔｉｃ  ｒｅｓｏｎａｎｃｅ  ｉｍａｇｉｎｇ）装置など多様な立体映像獲得装置が、本実施形態の第１映像情報獲得装置１１０として使われる。
【００４７】
第２映像情報獲得装置１２０は、被施術者の歯牙石膏型（Ｇ）をスキャンして第２立体映像データを獲得する。
本実施形態の歯牙石膏型（Ｇ）は、被施術者の歯牙及び歯茎に対する形態で形成されるが、印象材が設けられたトレーが被施術者の口腔内に挿入された後、被施術者の歯牙が印象材を押して印象採得した歯牙と周辺歯茎の形状に製作される。
【００４８】
本実施形態の歯牙石膏型（Ｇ）には、第１立体映像データと第２立体映像データとの整合のための整合用基準マーカー（Ｇ２）が設けられる。
このような整合用基準マーカー（Ｇ２）は、第１立体映像データと第２立体映像データとの整合のための基準座標になるものであって、データ処理装置１３０を通じて第２立体映像データの整合用基準マーカー（Ｇ２）の座標と第１立体映像データで整合用基準マーカー（Ｇ２）に該当する仮想の位置座標との整合を通じて統合立体映像データを生成する時に使われる。
【００４９】
本実施形態の整合用基準マーカー（Ｇ２）は、多数個設けられ、互いに離隔して配される。本実施形態において、整合用基準マーカー（Ｇ２）は、少なくとも３個以上に設けられ、３個以上の整合用基準マーカー（Ｇ２）は、互いに離隔して配される。
このような整合用基準マーカー（Ｇ２）は、第２立体映像データで歯牙石膏型の本体（Ｇ１）と区別される構造または材質からなる。
【００５０】
第２映像情報獲得装置１２０は、歯牙石膏型（Ｇ）をスキャンして第２立体映像データを獲得する３次元スキャナー（図示せず）を含む。本実施形態の第２立体映像データは、ステレオリソグラフィー（ｓｔｅｒｅｏｌｉｔｈｏｇｒａｐｈｙ、ＳＴＬ）データを含み、ステレオリソグラフィー（ＳＴＬ）データは、アスキー（ＡＳＣＩＩ）またはバイナリ（ｂｉｎａｒｙ）形式を有し、３Ｄ（Ｄｉｍｅｎｓｉｏｎ）プログラムで立体物のモデリングデータを他種の３Ｄプログラムで認識するのに容易になるように立体物の表面を多角形化されたポリゴン（Ｐｏｌｙｇｏｎ）で表現するデータである。
【００５１】
一方、データ処理装置１３０は、第１立体映像データ及び第２立体映像データを伝達されて整合して、統合立体映像データを生成する。
このようなデータ処理装置１３０は、ユーザから情報を入力される入力部１３１と、第１立体映像データ及び第２立体映像データを伝達されて統合立体映像データを生成する演算部１３２と、演算部１３２に電気的に連結され、統合立体映像データを視覚的に表示する表示部１３３と、を含む。
【００５２】
入力部１３１は、演算部１３２に電気的に連結されて、ユーザからの制御情報を入力されて演算部１３２に伝達する。
【００５３】
演算部１３２は、第１立体映像データ及び第２立体映像データを伝達されて統合立体映像データを生成して、表示部１３３に視覚的に表示する。
すなわち、統合立体映像データの生成は、入力部１３１、表示部１３３及び演算部１３２の有機的な連携によってなされる。このような統合立体映像データの生成は、下記で詳しく後述する。
【００５４】
一方、前述したような統合立体映像データの生成が完了した後、統合立体映像データで被施術者に植立される仮想のインプラント（Ｋ）の位置を決定する。この際、ユーザは、表示部１３３に表示される統合立体映像データの多様な位置に被施術者に植立される仮想のインプラント（Ｋ）を重畳させながら、仮想のインプラント（Ｋ）の位置を決定する。
【００５５】
このように統合立体映像データを基盤として、統合立体映像データに仮想のインプラント（Ｋ）データが重畳されたデータをインプラント施術計画データと言う。
【００５６】
インプラント施術計画データが生成された後、本実施形態の演算部１３２は、インプラント施術計画データのうち、一部である関心情報を生成してサーバ装置２００に伝達する。モバイル装置３００は、サーバ装置２００から関心情報を伝送されて、それをディスプレイする。
【００５７】
ここで、関心情報は、インプラント施術データのうち、仮想のインプラント（Ｋ）周りの既定の領域のデータである部分立体映像データを含む。すなわち、施術者（歯科医師）が関心のある部分は、仮想のインプラント（Ｋ）周りの情報なので、本実施形態のモバイル連動インプラント診断システムは、モバイルの装置の性能限界上、インプラント施術計画データ全部をモバイル装置３００に提供せず、仮想のインプラント（Ｋ）周りの立体映像データである部分立体映像データのみをモバイル装置３００に提供する。
【００５８】
このような部分立体映像データは、仮想のインプラント（Ｋ）の中心から既定の間隔ほど離隔した境界領域内部のインプラント施術計画データである。本実施形態において、部分立体映像データの境界領域は、図１０に詳しく示したように、六面体状に設けられる。
【００５９】
このような六面体状に設けられた境界領域は、第１軸方向の長さ（ａ）が１５〜４５ｍｍであり、第２軸方向の長さ（ｂ）が１５〜４５ｍｍであり、第３軸方向（ｃ）の長さが２０〜６０ｍｍに設けられる。
【００６０】
一方、モバイル装置３００は、サーバ装置２００に有線または無線で連結され、サーバ装置２００から関心情報を伝達されて表示する。本実施形態において、モバイル装置３００は、スマートフォン、アイパッド（ｉＰａｄ）（登録商標）、ハンドヘルド端末機などを含むが、これにより、本発明の権利範囲が限定されず、ディスプレイ部と通信部及び入力部などを備える多様なハンドヘルド電子機器が、本発明のモバイル装置３００として使われる。
【００６１】
このようなモバイル装置３００は、部分立体映像データをディスプレイするモバイル装置用表示ユニット３１０と、ユーザから情報を入力されるモバイル装置用入力ユニット（図示せず）と、入力部に電気的に連結されて、ユーザから入力された情報に基づいて、部分立体映像データを補正するモバイル装置用演算ユニット（図示せず）と、サーバ装置２００から関心情報を伝達され、ユーザによって補正された関心情報をサーバ装置２００に伝送するモバイル装置用通信ユニット（図示せず）と、を含む。
【００６２】
モバイル装置用表示ユニットは、部分立体映像データをディスプレイする。モバイル装置用表示ユニット３１０は、図１１ないし図１３に示したように、ユーザに提供される画面を多数個の分割領域（Ｅ１、Ｅ２、Ｅ３、Ｅ４）に区画する。
【００６３】
本実施形態の分割領域は、部分立体映像データを第１軸と第１軸に交差する第２軸に切った平面イメージが表示された第１領域（Ｅ１）と、部分立体映像データを第２軸と第２軸に交差する第３軸に切った平面イメージが表示された第２領域（Ｅ２）と、部分立体映像データを第１軸と第３軸に切った平面イメージが表示された第３領域（Ｅ３）と、被施術者の歯牙石膏型をスキャンして獲得された第２立体映像データに仮想のインプラント（Ｋ）が重畳された立体映像データが表示された第４領域（Ｅ４）と、を含む。
【００６４】
第４領域（Ｅ４）に視覚的に表示されるデータは、被施術者の歯牙石膏型をスキャンして獲得された第２立体映像データに仮想のインプラント（Ｋ）が重畳された立体映像データである。これは、仮想のインプラント（Ｋ）が植立される位置を巨視的に示すものであって、大容量の第１立体映像データを基盤とせず、第２立体映像データを基盤として、データ伝送量を減らしうる。
【００６５】
第４領域（Ｅ４）に視覚的に表示されるデータには、ユーザが被施術者の口腔内で仮想のインプラント（Ｋ）の位置を直観的に分かるようにすることを目的とする。
【００６６】
第１領域（Ｅ１）ないし第３領域（Ｅ３）には、部分立体映像データの中心点（主に仮想のインプラント（Ｋ）の中心点）でのＸ−Ｙ断面、Ｙ−Ｚ断面、Ｘ−Ｚ断面がそれぞれ表示される。
【００６７】
このように第１領域（Ｅ１）ないし第３領域（Ｅ３）に部分立体映像データの断面が表示された状態で、ユーザは、何れか一領域でタッチスクリーンなどの入力手段を通じてインプラントの植立角度を変更するか、インプラントの位置を微細に移動させることができる。
【００６８】
本実施形態において、第１領域（Ｅ１）ないし第３領域（Ｅ３）に表示される部分立体映像データの断面は、互いに連動して可変されるので、ユーザが、何れか一領域でインプラントの位置を可変させる場合、他の領域でのイメージも可変される。
【００６９】
このようなインプラントの位置変更及び角度変更時に、施術者は、インプラントが植立される位置の骨密度を確認しなければならない。
【００７０】
したがって、本実施形態のモバイル装置用表示ユニット３１０は、図１２に詳しく示したように、第１領域（Ｅ１）ないし第３領域（Ｅ３）で骨密度を視覚的に表示する。このような骨密度の数値によって互いに異なる色相で表示される。
【００７１】
また、本実施形態において、骨密度の数値によって表示ユニットに表示される色相は、有彩色からなる。このように、本実施形態のモバイル装置用表示ユニット３１０は、第１領域（Ｅ１）ないし第３領域（Ｅ３）に表示される骨密度を骨密度の数値によって互いに異なる有彩色の色相で表示することにより、施術者が仮想のフィクスチャー周りの骨密度を直観的に認識可能にするという利点がある。
【００７２】
本実施形態において、高い骨密度数値は、黄色または緑色で表示され、低い骨密度数値は、赤色や青色で表示されるが、本発明の権利範囲が、これに限定されるものではなく、骨密度の数値を他の多様な色相で表示することができる。
【００７３】
一方、施術者（歯科医師）は、インプラントの植立位置及び植立角度を微細に可変させる場合の以外にも、部分立体映像データで仮想のインプラント（Ｋ）の種類（例えば、フィクスチャー、アバットメントなどの種類）を可変させることもできる。
【００７４】
このようなインプラントの植立位置及び植立角度の変更する補正とインプラントの種類の変更する補正とが完了した後に、施術者が補正結果を保存すれば、補正された部分立体映像データがサーバ装置２００に伝送されて保存される。
【００７５】
このように、本実施形態によるモバイル連動インプラント診断システムは、モバイル装置３００にインプラント施術データのうち、仮想のインプラント（Ｋ）周りの立体映像データである部分立体映像データのみを提供することにより、施術者がモバイル装置３００の仕様内でモバイル装置３００を通じて施術者の主要関心である仮想のインプラント（Ｋ）周りの部分立体映像データを補正（例えば、フィクスチャーを、他のフィクスチャーに変える補正、インプラントの植立角度を微細に変えるなどの補正など）可能にするという利点がある。
【００７６】
以下、インプラント施術計画データを生成するインプラント診断装置１００でインプラント施術計画データを生成する過程を説明する。
【００７７】
インプラント施術計画データを生成するためには、先に統合立体映像データが生成されなければならない。このような統合立体映像データを生成する過程を下記で簡単に説明する。
【００７８】
コンピュータ断層撮影（ＣＴ）装置のような第１映像情報獲得装置１１０から獲得された第１立体映像データは、被施術者の骨形状などを正確に把握することができる長所に比べて、被施術者の口腔内部に設けられる多様な形態の補綴物及び保形物によって映像が歪曲されうるという問題がある。
【００７９】
したがって、被施術者の歯牙石膏型（Ｇ）をスキャンすることにより、被施術者の口腔内部構造についての非常に正確な情報を含めている第２立体映像データと被施術者の骨形状などについての正確な情報を含めている第１立体映像データとが重畳された統合立体映像データが生成されなければならず、第１立体映像データと第２立体映像データとの重畳のために、第１立体映像データと第２立体映像データとを整合する過程が必要である。
【００８０】
第１立体映像データと第２立体映像データとを整合する過程は、第２立体映像データの整合用基準マーカー（Ｇ２）の座標を基準にして、第１立体映像データと第２立体映像データとを先整合する先整合段階と、先整合された統合立体映像データで第２立体映像データを第１立体映像データに精密整合する精密整合段階と、を含む。
【００８１】
先整合段階は、第１立体映像データと第２立体映像データとを概略的に迅速に整合する方式であって、このような先整合段階では、第２立体映像データの整合用基準マーカー（Ｇ２）の座標を基準にして、第１立体映像データと第２立体映像データとを先整合する。
【００８２】
このような先整合段階で表示部１３３の画面には、図６ないし図７に示したような画面がユーザに提供される。このような画面には、第１立体映像データのうち、被施術者の歯牙領域が視覚的に表示される歯牙領域表示区域（Ｚ１）と、第２立体映像データが視覚的に表示される第２立体映像データ表示区域（Ｚ２）と、統合立体映像データが視覚的に表示される統合立体映像データ表示区域（Ｚ３）と、が表示される。
【００８３】
歯牙領域表示区域（Ｚ１）には、第１立体映像データのうち、被施術者の歯牙領域が視覚的に表示される。歯牙領域表示区域（Ｚ１）に表示される被施術者の歯牙領域は、ユーザの入力部１３１を通じる制御信号によって、その領域が選択されうる。
【００８４】
また、第２立体映像データ表示区域（Ｚ２）には、第２立体映像データが視覚的に表示され、統合立体映像データ表示区域（Ｚ３）には、統合立体映像データが視覚的に表示される。
【００８５】
図６に示された表示部１３３の画面でユーザが第２立体映像データ表示区域（Ｚ２）で整合用基準マーカー（Ｇ２）の座標を演算部１３２に入力する。すなわち、ユーザが、入力部１３１、例えば、マウスを通じて第２立体映像データ表示区域（Ｚ２）に表示された３個の整合用基準マーカー（Ｇ２）をクリックすれば、該クリックされた座標が演算部１３２に伝達される。
【００８６】
以後、ユーザが、歯牙領域表示区域（Ｚ１）で整合用基準マーカー（Ｇ２）の座標に該当する仮想の座標を演算部１３２に入力する。すなわち、ユーザが、歯牙領域表示区域（Ｚ１）に表示された歯牙領域のイメージと第２立体映像データ表示区域（Ｚ２）に表示された歯牙石膏型（Ｇ）のイメージとを比較した後、歯牙領域表示区域（Ｚ１）に表示された歯牙領域のイメージに整合用基準マーカー（Ｇ２）の位置に該当する仮想の位置をクリックすれば、該クリックされた座標が演算部１３２に伝達される。
【００８７】
以後、演算部１３２では、入力された整合用基準マーカー（Ｇ２）の座標と仮想の座標とを比較して、第１立体映像データと第２立体映像データとを重畳させた後、統合立体映像データ表示区域（Ｚ３）に第１立体映像データに第２立体映像データが重畳された先整合された統合立体映像データを表示する。
【００８８】
図６の統合立体映像データ表示区域（Ｚ３）には、ユーザによる座標入力が行われず、第１立体映像データのみ表示されているが、図７の統合立体映像データ表示区域（Ｚ３）には、整合用基準マーカー（Ｇ２）の座標と整合用基準マーカー（Ｇ２）の座標とに該当する仮想の座標が入力されることによって、第２立体映像データが第１立体映像データに先整合された統合立体映像データが表示される。
【００８９】
このような先整合段階は、ユーザが、歯牙領域表示区域（Ｚ１）のイメージと第２立体映像データ表示区域（Ｚ２）のイメージとを比較して、歯牙領域表示区域（Ｚ１）のイメージに整合用基準マーカー（Ｇ２）がある仮想の位置をクリックする方式を取るので、先整合段階を経た先整合された統合立体映像データの整合度は、完璧な状態ではないが、先整合段階を経た先整合された統合立体映像データは、ほぼ整合された状態である。
【００９０】
したがって、精密整合段階では、ほぼ整合された状態である先整合された統合立体映像データで第２立体映像データを第１立体映像データに精密整合させる。
【００９１】
このような精密整合段階で表示部１３３の画面には、図８ないし図９に示したような画面がユーザに提供される。すなわち、精密整合段階で表示部１３３を通じてユーザに提供される画面には、多数個の分割領域（Ｄ１、Ｄ２、Ｄ３、Ｄ４、Ｄ５、Ｄ６）が表示される。このような多数個の分割領域（Ｄ１、Ｄ２、Ｄ３、Ｄ４、Ｄ５、Ｄ６）には、先整合された統合立体映像データの互いに異なる平面映像が配される。
【００９２】
この際、多数個の分割領域（Ｄ１、Ｄ２、Ｄ３、Ｄ４、Ｄ５、Ｄ６）に表示される先整合された統合立体映像データの平面映像は、第１立体映像データと第２立体映像データとの区分を可能にして（例えば、第１立体映像データと第２立体映像データとの外観ラインが互いに異なる色で表現される）、ユーザが視覚的に整合の有無が分かるようにする。
【００９３】
図８または図９に示したように、本実施形態において、精密整合段階で表示部１３３を通じてユーザに提供される画面の表示領域は、第１ないし第６分割領域（Ｄ１、Ｄ２、Ｄ３、Ｄ４、Ｄ５、Ｄ６）に区画される。
【００９４】
第１分割領域（Ｄ１）は、先整合された統合立体映像データの平面であり、ユーザの操作画面に該当する。本実施形態において、第１分割領域は、先整合された統合立体映像データをＸ−Ｙ軸平面で切ったイメージが表示される。
【００９５】
第１分割領域には、３個の移動点（Ｍ１、Ｍ２、Ｍ３）が表示されるが、ユーザがマウスなどの入力部１３１を通じて入力点を移動させれば、第２ないし第６分割領域（Ｄ２、Ｄ３、Ｄ４、Ｄ５、Ｄ６）のイメージが変更される。
【００９６】
第２分割領域（Ｄ２）には、第１分割領域（Ｄ１）の第１移動点（Ｍ１）の位置でＹ−Ｚ軸平面で切ったイメージが表示される。第３分割領域（Ｄ３）には、第１分割領域（Ｄ１）の第１移動点（Ｍ１）の位置でＸ−Ｚ軸平面で切ったイメージが表示される。
【００９７】
第２分割領域（Ｄ２）及び第３分割領域（Ｄ３）のイメージは、第１分割領域（Ｄ１）の第１移動点（Ｍ１）の移動によって移動した第１移動点（Ｍ１）の位置での平面イメージに可変される。
【００９８】
第４分割領域（Ｄ４）には、第１分割領域（Ｄ１）の第２移動点（Ｍ２）の位置でＹ−Ｚ軸平面で切ったイメージが表示される。第５分割領域（Ｄ５）には、第１分割領域（Ｄ１）の第２移動点（Ｍ２）の位置でＸ−Ｚ軸平面で切ったイメージが表示される。
【００９９】
第４分割領域（Ｄ４）及び第５分割領域（Ｄ５）のイメージは、第１分割領域（Ｄ１）の第２移動点（Ｍ２）の移動によって移動した第２移動点（Ｍ２）の位置での平面イメージに可変される。
【０１００】
第６分割領域（Ｄ６）には、第１分割領域（Ｄ１）の第３移動点（Ｍ３）の位置でＹ−Ｚ軸平面で切ったイメージが表示される。第６分割領域（Ｄ６）のイメージは、第１分割領域（Ｄ１）の第３移動点（Ｍ３）の移動によって移動した第３移動点（Ｍ３）の位置での平面イメージに可変される。
【０１０１】
図８と図９とを比べると、第１ないし第３移動点（Ｍ１、Ｍ２、Ｍ３）の位置変化によって第２ないし第６分割領域（Ｄ２、Ｄ３、Ｄ４、Ｄ５、Ｄ６）のイメージが変更されたことが見られる。
【０１０２】
一方、第２ないし第６分割領域（Ｄ２、Ｄ３、Ｄ４、Ｄ５、Ｄ６）のイメージは、ユーザの入力部１３１を通じる操作に影響を受ける。すなわち、第２ないし第６分割領域（Ｄ２、Ｄ３、Ｄ４、Ｄ５、Ｄ６）に表示された第２立体映像データの位置及び姿勢などのイメージが、ユーザの操作によって変化されうる。
【０１０３】
したがって、ユーザは、第１ないし第３移動点（Ｍ１、Ｍ２、Ｍ３）を移動させながら、多様な部位で先整合された統合立体映像データの平面映像で第１立体映像データと第２立体映像データとの整合の有無を確認し、入力部１３１を通じて第２立体映像データを第１立体映像データに対して相対移動させて、第１立体映像データと第２立体映像データとを精密に整合する。
【０１０４】
この際、前述したように、第１ないし第６分割領域（Ｄ１、Ｄ２、Ｄ３、Ｄ４、Ｄ５、Ｄ６）に表示された平面映像は、外観ラインが互いに異なる色で表現されて、第１立体映像データと第２立体映像データとの区分が可能なので、ユーザは、マウスのような入力部１３１を通じて第２立体映像データをクリックした後、それをドラッグ（ｄｒａｇ）する方式で精密整合する。
【０１０５】
ユーザが、入力部１３１を用いて第１立体映像データのイメージに第２立体映像データのイメージを精密整合した状態の情報は、演算部１３２に入力され、演算部１３２は、先整合された統合立体映像データを入力部１３１によって入力された精密整合された状態の情報に基づいて、先整合された統合立体映像データを補正して、精密整合された統合立体映像データを生成する。
【０１０６】
このような精密整合された統合立体映像データ生成後、演算部１３２は、第１立体映像データに第２立体映像データに重畳し、第１立体映像データのうち、第２立体映像データに該当する部分を第２立体映像データに代替して、最終的な統合立体映像データを生成する。
【０１０７】
前述したような統合立体映像データの生成が完了した後、統合立体映像データで被施術者に植立されるフィクスチャー（Ｐ）の位置を決定する。この際、ユーザは、表示部１３３に表示される統合立体映像データの多様な位置に被施術者に植立される仮想のフィクスチャー（Ｐ）を重畳させながら、フィクスチャー（Ｐ）の位置を決定する。
【０１０８】
本実施形態のデータ処理装置１３０は、統合立体映像データに被施術者に植立される仮想のフィクスチャー（Ｐ）が重畳されれば、仮想のフィクスチャー（Ｐ）を基準にして、仮想のフィクスチャー（Ｐ）周りの骨密度を視覚的に表示する。
【０１０９】
すなわち、本実施形態において、演算部１３２は、統合立体映像データに被施術者に植立される仮想のフィクスチャー（Ｐ）が重畳されれば、仮想のフィクスチャー（Ｐ）を基準にして、仮想のフィクスチャー（Ｐ）周りの骨密度を計算する。
【０１１０】
本実施形態において、仮想のフィクスチャー（Ｐ）周りの骨密度は、仮想のフィクスチャー（Ｐ）の外郭コンツアーに接する領域の骨密度を言うものであって、フィクスチャー（Ｐ）のネジ山の外郭ラインが位置される部位の骨密度である。
【０１１１】
表示部１３３は、演算部１３２に電気的に連結され、統合立体映像データを視覚的に表示する（すなわち、２次元平面イメージ及び３次元イメージなどで表示する）。このような表示部１３３は、統合立体映像データだけではなく、第１立体映像データと第２立体映像データも、視覚的イメージで表示することができる。
【０１１２】
また、本実施形態の表示部１３３は、演算部１３２で演算された仮想のフィクスチャー（Ｐ）を基準にして、仮想のフィクスチャー（Ｐ）周りの骨密度を視覚的に表示する。
【０１１３】
すなわち、表示部１３３は、図３及び図４に示したように、演算部１３２で計算された仮想のフィクスチャー（Ｐ）の外郭コンツアーに接する領域の骨密度を視覚的に表示する。本実施形態において、表示部１３３に表示される仮想のフィクスチャー（Ｐ）周りの骨密度は、骨密度の数値によって互いに異なる色相で表示される。
【０１１４】
また、本実施形態において、骨密度の数値によって表示部１３３に表示される色相は、有彩色からなる。このように、本実施形態のモバイル連動インプラント診断システムは、仮想のフィクスチャー（Ｐ）周りの骨密度を骨密度の数値によって互いに異なる有彩色の色相で表示することにより、ユーザが、仮想のフィクスチャー（Ｐ）周りの骨密度を直観的に認識可能にするという利点がある。
【０１１５】
本実施形態において、高い骨密度数値は、黄色または緑色で表示され、低い骨密度数値は、赤色や青色で表示されるが、本発明の権利範囲が、これに限定されるものではなく、骨密度の数値を他の多様な色相で表示することができる。
【０１１６】
以下、本実施形態のモバイル連動インプラント診断システムの動作を図１ないし図１２を参照して説明する。
【０１１７】
サーバ装置２００から部分立体映像データを伝送された後、モバイル装置３００が実行されれば、モバイル装置３００の画面に図１１のような画面が表示される。
【０１１８】
図１１のように、第１領域（Ｅ１）ないし第３領域（Ｅ３）に部分立体映像データの断面が表示された状態で、ユーザは、何れか一領域でタッチスクリーンなどの入力手段を通じてインプラントの植立角度を変更するか、インプラントの位置を微細に移動させることができる。
【０１１９】
本実施形態において、第１領域（Ｅ１）ないし第３領域（Ｅ３）に表示される部分立体映像データの断面は、互いに連動して可変されるので、ユーザが、何れか一領域でインプラントの位置を可変させる場合、他の領域でのイメージも可変される。
【０１２０】
施術者（歯科医師）は、インプラントの植立位置及び植立角度を微細に可変させる場合の以外にも、部分立体映像データで仮想のインプラント（Ｋ）の種類（例えば、フィクスチャー、アバットメントなどの種類）を可変させることもできる。
【０１２１】
このようなインプラントの植立位置及び植立角度の変更する補正とインプラントの種類の変更する補正とが完了した後に、施術者が補正結果を保存すれば、補正された部分立体映像データがサーバ装置２００に伝送されて保存される。
【０１２２】
以後、施術者は、サーバ装置２００に保存された補正された部分立体映像データを再びモバイル装置３００に伝送されて、再び検討することができるができる。
【０１２３】
このように、本実施形態によるモバイル連動インプラント診断システムは、モバイル装置３００にインプラント施術データのうち、仮想のインプラント（Ｋ）周りの立体映像データである部分立体映像データのみを提供することにより、施術者がモバイル装置３００の仕様内でモバイル装置３００を通じて施術者の主要関心である仮想のインプラント（Ｋ）周りの部分立体映像データを補正（例えば、フィクスチャーを、他のフィクスチャーに変える補正、インプラントの植立角度を微細に変えるなどの補正など）可能にするという利点がある。
【０１２４】
以下、インプラント施術計画データを生成するインプラント診断装置１００でインプラント施術計画データを生成する過程を説明する。
【０１２５】
インプラント施術計画データを生成するためには、先に統合立体映像データが生成されなければならない。このような統合立体映像データの生成方法を下記で説明する。
【０１２６】
本実施形態によるモバイル連動インプラント診断システムのインプラント診断用映像生成方法は、図５に詳しく示したように、被施術者の口腔領域に対する第１立体映像データを獲得する第１映像情報獲得段階（ステップＳ１１０）と、被施術者の歯牙石膏型（Ｇ）をスキャンして第２立体映像データを獲得する第２映像情報獲得段階（ステップＳ１２０）と、第１立体映像データ及び第２立体映像データを整合して、統合立体映像データを生成する統合立体映像データ獲得段階（ステップＳ１３０）と、統合立体映像データに被施術者に植立される仮想のフィクスチャー（Ｐ）が重畳されれば、仮想のフィクスチャー（Ｐ）を基準にして、仮想のフィクスチャー（Ｐ）周りの骨密度を視覚的に表示する骨密度表示段階（ステップＳ１４０）と、を含む。
【０１２７】
第１映像情報獲得段階（ステップＳ１１０）では、被施術者の口腔領域に対する第１立体映像データを獲得する。このような第１映像情報獲得段階（ステップＳ１１０）では、図１に示したように、第１映像情報獲得装置１１０が被施術者の口腔領域を撮影して第１立体映像データを獲得する。
【０１２８】
第２映像情報獲得段階（ステップＳ１２０）では、第２映像情報獲得装置１２０が被施術者の歯牙石膏型（Ｇ）をスキャンして第２立体映像データを獲得する。
【０１２９】
さらに詳しく説明すれば、本実施形態の第２映像情報獲得段階（ステップＳ１２０）は、被施術者の歯牙石膏型（Ｇ）を生成する段階と、被施術者の歯牙石膏型（Ｇ）に整合用基準マーカー（Ｇ２）を設ける段階と、整合用基準マーカー（Ｇ２）が設けられた歯牙石膏型（Ｇ）をスキャンする段階と、を含む。
【０１３０】
整合用基準マーカー（Ｇ２）を設ける段階では、歯牙石膏型（Ｇ）を生成する段階で製作された被施術者の歯牙石膏型の本体（Ｇ１）に第２立体映像データの整合のための整合用基準マーカー（Ｇ２）を形成する。
【０１３１】
歯牙石膏型の本体（Ｇ１）に設けられた整合用基準マーカー（Ｇ２）は、統合立体映像データ獲得段階（ステップＳ１３０）で第１立体映像データと第２立体映像データとの整合のための基準座標として活用される。
【０１３２】
統合立体映像データ獲得段階（ステップＳ１３０）では、第１立体映像データ及び第２立体映像データを整合して、統合立体映像データを生成する。
【０１３３】
コンピュータ断層撮影（ＣＴ）装置のような第１映像情報獲得装置１１０から獲得された第１立体映像データは、被施術者の骨形状などを正確に把握することができる長所に比べて、被施術者の口腔内部に設けられる多様な形態の補綴物及び保形物によって映像が歪曲されうるという問題がある。
【０１３４】
したがって、被施術者の歯牙石膏型（Ｇ）をスキャンすることにより、被施術者の口腔内部構造についての非常に正確な情報を含めている第２立体映像データと被施術者の骨形状などについての正確な情報を含めている第１立体映像データとが重畳された統合立体映像データが生成されなければならず、第１立体映像データと第２立体映像データとの重畳のために必須的に伴われなければならないマッチング過程が統合立体映像データ獲得段階（ステップＳ１３０）で行われる。
【０１３５】
このような統合立体映像データ獲得段階（ステップＳ１３０）は、第２立体映像データの整合用基準マーカー（Ｇ２）の座標を基準にして、第１立体映像データと第２立体映像データとを先整合する先整合段階（ステップＳ１３１）と、先整合された統合立体映像データで第２立体映像データを第１立体映像データに精密整合する精密整合段階（ステップＳ１３２）と、を含む。
【０１３６】
先整合段階（ステップＳ１３１）は、第１立体映像データと第２立体映像データとを概略的に迅速に整合する方式であって、このような先整合段階（ステップＳ１３１）では、第２立体映像データの整合用基準マーカー（Ｇ２）の座標を基準にして、第１立体映像データと第２立体映像データとを先整合する。
【０１３７】
このような先整合段階（ステップＳ１３１）は、ユーザに提供される画面の表示領域を第１立体映像データのうち、被施術者の歯牙領域が視覚的に表示される歯牙領域表示区域（Ｚ１）、第２立体映像データが視覚的に表示される第２立体映像データ表示区域（Ｚ２）、そして、統合立体映像データが視覚的に表示される統合立体映像データ表示区域（Ｚ３）に区画する段階と、第２立体映像データ表示区域（Ｚ２）で整合用基準マーカー（Ｇ２）の座標が入力される基準マーカー座標入力段階と、歯牙領域表示区域（Ｚ１）で整合用基準マーカー（Ｇ２）の座標に該当する仮想の座標が入力される仮想座標入力段階と、入力された整合用基準マーカー（Ｇ２）の座標と仮想の座標とを整合して統合立体映像データ表示区域（Ｚ３）に先整合された統合立体映像データを表示する段階と、を含む。
【０１３８】
図６ないし図７を参考にして、先整合段階（ステップＳ１３１）を説明すれば、図６に示したように、表示部１３３を通じてユーザに提供される画面の表示領域は、第１立体映像データのうち、被施術者の歯牙領域が視覚的に表示される歯牙領域表示区域（Ｚ１）と、第２立体映像データが視覚的に表示される第２立体映像データ表示区域（Ｚ２）と、統合立体映像データが視覚的に表示される統合立体映像データ表示区域（Ｚ３）と、に区画される。
【０１３９】
歯牙領域表示区域（Ｚ１）には、第１立体映像データのうち、被施術者の歯牙領域が視覚的に表示される。歯牙領域表示区域（Ｚ１）に表示される被施術者の歯牙領域は、ユーザの入力部１３１を通じる制御信号によって、その領域が選択されうる。
【０１４０】
また、第２立体映像データ表示区域（Ｚ２）には、第２立体映像データが視覚的に表示され、統合立体映像データ表示区域（Ｚ３）には、統合立体映像データが視覚的に表示される。
【０１４１】
歯牙領域表示区域（Ｚ１）に表示された被施術者の歯牙領域と第２立体映像データ表示区域（Ｚ２）に表示された第２立体映像データは、いずれも被施術者の口腔領域の構造を示すものであって、前述したように、被施術者の口腔領域の構造に対しては、第２立体映像データがさらに正確な情報を有しているので、統合立体映像データを生成する時には、第１立体映像データのうち、被施術者の口腔領域に対する構造は第２立体映像データに代替される。このような代替のためには、第１立体映像データと第２立体映像データが、基準マーカー座標入力段階と仮想座標入力段階とを通じて整合されなければならない。
【０１４２】
基準マーカー座標入力段階では、第２立体映像データ表示区域（Ｚ２）で整合用基準マーカー（Ｇ２）の座標が入力される。すなわち、ユーザが、入力部１３１、例えば、マウスを通じて第２立体映像データ表示区域（Ｚ２）に表示された３個の整合用基準マーカー（Ｇ２）をクリックすれば、該クリックされた座標が演算部１３２に伝達される。
【０１４３】
仮想座標入力段階では、歯牙領域表示区域（Ｚ１）で整合用基準マーカー（Ｇ２）の座標に該当する仮想の座標が入力される。すなわち、ユーザが、歯牙領域表示区域（Ｚ１）に表示された歯牙領域のイメージと第２立体映像データ表示区域（Ｚ２）に表示された歯牙石膏型（Ｇ）のイメージとを比較した後、歯牙領域表示区域（Ｚ１）に表示された歯牙領域のイメージに整合用基準マーカー（Ｇ２）の位置に該当する仮想の位置をクリックすれば、該クリックされた座標が演算部１３２に伝達される。
【０１４４】
以後、先整合された統合立体映像データを表示する段階では、演算部１３２に入力された整合用基準マーカー（Ｇ２）の座標と仮想の座標とを比較して、第１立体映像データと第２立体映像データとを重畳させた後、統合立体映像データ表示区域（Ｚ３）に第１立体映像データに第２立体映像データが重畳された先整合された統合立体映像データを表示する。
【０１４５】
図６の統合立体映像データ表示区域（Ｚ３）には、まだ基準マーカー座標入力段階と仮想座標入力段階とが行われず、第１立体映像データのみ表示されているが、図７の統合立体映像データ表示区域（Ｚ３）には、基準マーカー座標入力段階と仮想座標入力段階との遂行によって、第２立体映像データが第１立体映像データに重畳された統合立体映像データのイメージが表示されたことが見られる。
【０１４６】
前述した先整合段階（ステップＳ１３１）の仮想座標入力段階では、ユーザが、歯牙領域表示区域（Ｚ１）のイメージと第２立体映像データ表示区域（Ｚ２）のイメージとを比較して、歯牙領域表示区域（Ｚ１）のイメージに整合用基準マーカー（Ｇ２）がある仮想の位置をクリックする方式を取るので、先整合段階（ステップＳ１３１）を経た先整合された統合立体映像データの整合度は、完璧な状態ではないが、先整合段階（ステップＳ１３１）を経た先整合された統合立体映像データは、ほぼ整合された状態である。
【０１４７】
したがって、精密整合段階（ステップＳ１３２）では、ほぼ整合された状態である先整合された統合立体映像データで第２立体映像データを第１立体映像データに精密整合させる。
【０１４８】
精密整合段階（ステップＳ１３２）は、表示部１３３を通じてユーザに提供される画面の表示領域が多数個の分割領域に区画され、先整合された統合立体映像データの互いに異なる平面映像が多数個の分割領域に配される段階と、それぞれの分割領域で第１立体映像データに第２立体映像データが整合されるように補正される段階と、を含む。
【０１４９】
図８または図９に示したように、精密整合段階（ステップＳ１３２）で表示部１３３を通じてユーザに提供される画面の表示領域は、多数個の分割領域（Ｄ１、Ｄ２、Ｄ３、Ｄ４、Ｄ５、Ｄ６）に区画される。このような多数個の分割領域（Ｄ１、Ｄ２、Ｄ３、Ｄ４、Ｄ５、Ｄ６）には、先整合された統合立体映像データの互いに異なる平面映像が配される。
【０１５０】
この際、多数個の分割領域（Ｄ１、Ｄ２、Ｄ３、Ｄ４、Ｄ５、Ｄ６）に表示される先整合された統合立体映像データの平面映像は、第１立体映像データと第２立体映像データとの区分を可能にして（例えば、第１立体映像データと第２立体映像データとの外観ラインが互いに異なる色で表現される）、ユーザが視覚的に整合の有無が分かるようにする。
【０１５１】
図８または図９に示したように、本実施形態において、精密整合段階（ステップＳ１３２）で表示部１３３を通じてユーザに提供される画面の表示領域は、第１ないし第６分割領域（Ｄ１、Ｄ２、Ｄ３、Ｄ４、Ｄ５、Ｄ６）に区画される。
【０１５２】
第１分割領域（Ｄ１）は、先整合された統合立体映像データの平面であり、ユーザの操作画面に該当する。本実施形態において、第１分割領域は、先整合された統合立体映像データをＸ−Ｙ軸平面で切ったイメージが表示される。
【０１５３】
第１分割領域には、３個の移動点（Ｍ１、Ｍ２、Ｍ３）が表示されるが、ユーザがマウスなどの入力部１３１を通じて入力点を移動させれば、第２ないし第６分割領域（Ｄ２、Ｄ３、Ｄ４、Ｄ５、Ｄ６）のイメージが変更される。
【０１５４】
第２分割領域（Ｄ２）には、第１分割領域（Ｄ１）の第１移動点（Ｍ１）の位置でＹ−Ｚ軸平面で切ったイメージが表示される。第３分割領域（Ｄ３）には、第１分割領域（Ｄ１）の第１移動点（Ｍ１）の位置でＸ−Ｚ軸平面で切ったイメージが表示される。
【０１５５】
第２分割領域（Ｄ２）及び第３分割領域（Ｄ３）のイメージは、第１分割領域（Ｄ１）の第１移動点（Ｍ１）の移動によって移動した第１移動点（Ｍ１）の位置での平面イメージに可変される。
【０１５６】
第４分割領域（Ｄ４）には、第１分割領域（Ｄ１）の第２移動点（Ｍ２）の位置でＹ−Ｚ軸平面で切ったイメージが表示される。第５分割領域（Ｄ５）には、第１分割領域（Ｄ１）の第２移動点（Ｍ２）の位置でＸ−Ｚ軸平面で切ったイメージが表示される。
【０１５７】
第４分割領域（Ｄ４）及び第５分割領域（Ｄ５）のイメージは、第１分割領域（Ｄ１）の第２移動点（Ｍ２）の移動によって移動した第２移動点（Ｍ２）の位置での平面イメージに可変される。
【０１５８】
第６分割領域（Ｄ６）には、第１分割領域（Ｄ１）の第３移動点（Ｍ３）の位置でＹ−Ｚ軸平面で切ったイメージが表示される。第６分割領域（Ｄ６）のイメージは、第１分割領域（Ｄ１）の第３移動点（Ｍ３）の移動によって移動した第３移動点（Ｍ３）の位置での平面イメージに可変される。
【０１５９】
図８と図９とを比べると、第１ないし第３移動点（Ｍ１、Ｍ２、Ｍ３）の位置変化によって第２ないし第６分割領域（Ｄ２、Ｄ３、Ｄ４、Ｄ５、Ｄ６）のイメージが変更されたことが見られる。
【０１６０】
一方、第２ないし第６分割領域（Ｄ２、Ｄ３、Ｄ４、Ｄ５、Ｄ６）のイメージは、ユーザの入力部１３１を通じる操作に影響を受ける。すなわち、第２ないし第６分割領域（Ｄ２、Ｄ３、Ｄ４、Ｄ５、Ｄ６）に表示された第２立体映像データの位置及び姿勢などのイメージが、ユーザの操作によって変化されうる。
【０１６１】
したがって、ユーザは、第１ないし第３移動点（Ｍ１、Ｍ２、Ｍ３）を移動させながら、多様な部位で先整合された統合立体映像データの平面映像で第１立体映像データと第２立体映像データとの整合の有無を確認し、入力部１３１を通じて第２立体映像データを第１立体映像データに対して相対移動させて、第１立体映像データと第２立体映像データとを精密に整合する。
【０１６２】
一方、ユーザは、表示部１３３を通じてユーザに提供される画面の表示領域に表示されたスケール操作部（Ｓ）を通じて第１立体映像データのスケールを操作することができる。このような第１立体映像データのスケール操作は、第１立体映像データと第２立体映像データとの間に全体的なサイズの差がある時に、第１立体映像データの全体的なサイズを第２立体映像データに対して相対的に可変させて、第１立体映像データと第２立体映像データとの精密整合操作をさらに容易にする。
【０１６３】
このように、本実施形態によるインプラント診断用映像生成方法は、第１立体映像データと第２立体映像データとを概略的に迅速に先整合した後、概略的に先整合された統合立体映像データを再び精密整合することにより、全体的な整合時間を短縮しながらも、整合正確度を高めうる。
【０１６４】
次に、精密整合段階（ステップＳ１３２）を経た統合立体映像データ獲得段階（ステップＳ１３０）が完成された後、ユーザは施術計画を樹立する。このような施術計画時に、被施術者の歯槽骨などの骨密度は非常に重要な要素であり、被施術者の骨密度の状態によってインプラントの植立位置及び深さと方向とを決定する。
【０１６５】
したがって、フィクスチャー（Ｐ）植立部位の骨密度が非常に重要であるが、本実施形態の骨密度表示段階（ステップＳ１４０）では、フィクスチャー（Ｐ）植立部位の骨密度を非常に直観的に表示する。
【０１６６】
すなわち、本実施形態の骨密度表示段階（ステップＳ１４０）では、図３及び図４に示したように、統合立体映像データに被施術者に植立される仮想のフィクスチャー（Ｐ）を重畳させるが、仮想のフィクスチャー（Ｐ）を基準にして、仮想のフィクスチャー（Ｐ）周りの骨密度を視覚的に表示する。
【０１６７】
このような骨密度表示段階（ステップＳ１４０）では、演算部１３２で計算された仮想のフィクスチャー（Ｐ）の外郭コンツアーに接する領域の骨密度を骨密度の数値によって互いに異なる色相で表示される。
【０１６８】
このように、本実施形態によるモバイル連動インプラント診断システムで診断用映像生成方法は、仮想のフィクスチャー（Ｐ）周りの骨密度を骨密度の数値によって互いに異なる色相で表示することにより、ユーザが、仮想のフィクスチャー（Ｐ）周りの骨密度を直観的に認識可能にするという利点がある。
【０１６９】
図１３は、本発明の第２実施形態によるモバイル連動インプラント診断システムでモバイル装置にディスプレイされる画面が示された図面である。
【０１７０】
本実施形態は、第１実施形態と比較する時に、モバイル装置用表示ユニット３１０ａが、前記第１領域ないし第３領域で既定の領域（Ｕ）内部の骨密度を視覚的に表示する点で第１実施形態と差があり、他の構成においては、図１ないし図１２の第１実施形態の構成と同一なので、以下、同じ構成については、その説明を省略する。
【０１７１】
本実施形態のモバイル装置用表示ユニットは、前記第１領域（Ｅ１）ないし第３領域（Ｅ３）で既定の領域（Ｕ）内部の骨密度を視覚的に表示する。
【０１７２】
本実施形態の既定の領域（Ｕ）は、図１３に示したように、円状に設けられ、タッチスクリーンのような方式でユーザの操作によって第１領域（Ｅ１）ないし第３領域（Ｅ３）のそれぞれの内部で移動することができる。
【０１７３】
このように、本実施形態のモバイル連動インプラント診断システムは、モバイル装置用表示ユニット３１０ａの第１領域（Ｅ１）ないし第３領域（Ｅ３）で既定の領域（Ｕ）内部の骨密度を視覚的に表示することにより、施術者が関心のある部位の骨密度を集中して検討可能にするという利点がある。
【０１７４】
以上、図面を参照して、本実施形態について詳しく説明したが、本実施形態の権利範囲が、前述した図面及び説明に限定されるものではない。
【０１７５】
このように、本発明は、記載の実施形態に限定されるものではなく、本発明の思想及び範囲を外れずに多様に修正及び変形できるということは、当業者に自明である。したがって、そのような修正例または変形例は、本発明の特許請求の範囲に属するものと言わなければならない。
【産業上の利用可能性】
【０１７６】
本発明は、医療産業、特に、歯科医療産業に用いられうる。
【図１】
2019531173.tif 000003
【図２】
2019531173.tif 000004
【図３】
2019531173.tif 000005
【図４】
2019531173.tif 000006
【図５】
2019531173.tif 000007
【図６】
2019531173.tif 000008
【図７】
2019531173.tif 000009
【図８】
2019531173.tif 000010
【図９】
2019531173.tif 000011
【図１０】
2019531173.tif 000012
【図１１】
2019531173.tif 000013
【図１２】
2019531173.tif 000014
【図１３】
2019531173.tif 000015
【国際調査報告】
2019531173.tif 000016
2019531173.tif 000017
2019531173.tif 000018
2019531173.tif 000019